(57)【特許請求の範囲】
【請求項１】
商用電源から供給される交流電力を直流電力に変換する電源回路と、
前記電源回路と同一ケースに内装され、該電源回路で変換された直流電力を高周波電力に変換し、放電灯を点灯する第１のインバータ回路と、
前記電源回路とは別のケースに内装され、前記電源回路で変換された直流電力を高周波電力に変換し、放電灯を点灯する第２のインバータ回路とを備え、
前記第２のインバータ回路を、
該第２のインバータ回路で点灯される放電灯の近傍に配置した
ことを特徴とすると放電灯点灯装置。
【請求項２】
前記電源回路と前記第２のインバータ回路とを接続する電力配線を渡り配線とした
ことを特徴とする請求項１に記載の放電灯点灯装置。
【請求項３】
前記送り配線に第１のスイッチング素子を設け、
前記第１のスイッチング素子を制御することで、前記第２のインバータ回路への電力供給を調整可能にした
ことを特徴とする請求項２に記載の放電灯点灯装置。
【請求項４】
前記電源回路は、
交流電力を整流・平滑し、直流電力に変換する整流回路と、
前記整流回路で変換された直流電力を所定の電圧に昇圧する昇圧回路とを内蔵し、
前記昇圧回路に第２のスイッチング素子を接続し、
前記第２のスイッチング素子を制御することで、前記第１のインバータ回路及び前記第２のインバータ回路の入力電圧を複数段階変更可能にした
ことを特徴とする請求項１〜３のいずれかに記載の放電灯点灯装置。
【請求項５】
前記第１のスイッチング素子、前記第２のスイッチング素子のうち少なくとも一つを外部信号で制御可能にした
ことを特徴とする請求項４に記載の放電灯点灯装置。
【請求項６】
商品を載置・陳列するための１または２以上の中間棚と、
前記中間棚のうち最上段に位置する中間棚を照明するためのキャノピ用照明ランプ及び天井用照明ランプと、
前記中間棚の裏面に設置され、その中間棚の下段に位置する中間棚を照明するための中間棚用照明ランプとを有する冷蔵冷凍ショーケースであって、
前記請求項１〜５のいずれかに記載の放電灯点灯装置を備え、
前記第１のインバータ回路は、
前記キャノピ用照明ランプ及び前記天井用照明ランプを点灯し、
前記第２のインバータ回路は、
前記中間棚用照明ランプを点灯する
ことを特徴とする冷蔵冷凍ショーケース。
【請求項７】
前記中間棚用インバータ回路を内装するケースの厚さを、前記中間棚用照明ランプの直径以下とした
ことを特徴とする請求項６に記載の冷蔵冷凍ショーケース。
【発明の詳細な説明】
【技術分野】
【０００１】
この発明は、インバータ回路を用いて蛍光灯等の放電灯を点灯させる放電灯点灯装置及びそれを備えた冷蔵冷凍ショーケースに関するものである。
【背景技術】
【０００２】
従来、「複数段の中間棚を有し、この中間棚のうち最上段の陳列棚６をキャノピ用照明ランプ３と天井用照明ランプ５で照らし、残りの中段の陳列棚７、８、９および最下段の陳列棚１０を中間棚下面の先端部に設置した棚用照明ランプ１２で照らすよう構成した多段オープンショーケースにおいて、棚用照明ランプ１２を点灯させるインバータバラスト１３と、このインバータバラスト１３に調光信号を出力し、最上段の陳列棚面６ａの照度と残りの中段および最下段の陳列棚面７ａ、８ａ、９ａ、１０ａの照度とが均一となるように棚用照明ランプ１２を調光する調光器１５とを備える」ようにした冷蔵または冷凍多段オープンショーケースが存在する（たとえば、特許文献１参照）。
【０００３】
また、「交流電源を交流の高周波電力に変換する複数のインバータ装置と、前記複数のインバータ装置の各々の出力端に接続された放電灯とを備えた放電灯点灯装置において、交流電源を直流電力に変換する電力変換部と、前記直流電力を高周波電力に変換するインバータ回路部とに前記インバータ装置を分割すると共に、前記インバータ回路部と前記放電灯とを接続するリード線の配線長を短くし、且つ前記インバータ回路部に入力される入力電流の値を前記放電灯に流れるランプ電流の値よりも小さくする手段を設ける」ようにした放電灯点灯装置が存在する（たとえば、特許文献２参照）。
【０００４】
【特許文献１】実開平５−８８３７２（第２頁、第１図）
【特許文献２】特開平７−２９６９７８（第２頁、第１図）
【発明の開示】
【発明が解決しようとする課題】
【０００５】
上記の冷蔵または冷凍多段オープンショーケースは、高周波電源装置と昇圧装置及び放電灯との間の配線長が長いために浮遊容量やノイズの影響を受けやすいという問題があった。また、インバータ装置と放電灯とを接続するリード線の配線長が長いために浮遊容量やノイズの影響を受けやすく、放電灯の始動電圧の変化や予熱電流の変化をもたらし、更に放電灯の始動不良や放電灯の短寿命をもたらすという問題があった。
【０００６】
また、上記の放電灯点灯装置は、高周波電流が流れるリード線の配線長を短くして浮遊容量やノイズの影響を低減することを可能にしたものであるが、放電灯を点灯させるための始動コンデンサがインバータ回路部の外側に備えられているために、回路構成が複雑になってしまうという問題があった。また、商品陳列時や深夜営業等の時間帯においても、キャノピ用照明、天井用照明及び中間棚照明を通常の明るさで点灯するようになっているために、電力を無駄に消費してしまうという問題もあった。
【０００７】
この発明は、上記のような問題を解決するためになされたもので、簡易な回路構成で、高周波電力に起因する浮遊容量やノイズの影響を低減し、無駄な消費電力を抑制することを可能にした放電灯点灯装置及びそれを備えた冷蔵冷凍ショーケースを提供することを目的としている。
【課題を解決するための手段】
【０００８】
この発明に係る放電灯点灯装置は、商用電源から供給される交流電力を直流電力に変換する電源回路と、前記電源回路と同一ケースに内装され、該電源回路で変換された直流電力を高周波電力に変換し、放電灯を点灯する第１のインバータ回路と、前記電源回路とは別のケースに内装され、前記電源回路で変換された直流電力を高周波電力に変換し、放電灯を点灯する第２のインバータ回路とを備え、前記第２のインバータ回路を該第２のインバータ回路で点灯される放電灯の近傍に配置したことを特徴とする。
【０００９】
また、この発明に係る冷蔵冷凍ショーケースは、商品を載置・陳列するための１または２以上の中間棚と、前記中間棚のうち最上段に位置する中間棚を照明するためのキャノピ用照明ランプ及び天井用照明ランプと、前記中間棚の裏面に設置され、その中間棚の下段に位置する中間棚を照明するための中間棚用照明ランプとを有する冷蔵冷凍ショーケースであって、前記請求項１〜５のいずれかに記載の放電灯点灯装置を備え、前記第１のインバータ回路は、前記キャノピ用照明ランプ及び前記天井用照明ランプを点灯し、前記第２のインバータ回路は、前記中間棚用照明ランプを点灯することを特徴とする。
【発明の効果】
【００１０】
この発明に係る放電灯点灯装置は、商用電源から供給される交流電力を直流電力に変換する電源回路と、前記電源回路と同一ケースに内装され、該電源回路で変換された直流電力を高周波電力に変換し、放電灯を点灯する第１のインバータ回路と、前記電源回路とは別のケースに内装され、前記電源回路で変換された直流電力を高周波電力に変換し、放電灯を点灯する第２のインバータ回路とを備え、前記第２のインバータ回路を該第２のインバータ回路で点灯される放電灯の近傍に配置したので、浮遊容量やノイズの影響を低減した安定点灯が可能になる。
【００１１】
また、この発明に係る冷蔵冷凍ショーケースは、商品を載置・陳列するための１または２以上の中間棚と、前記中間棚のうち最上段に位置する中間棚を照明するためのキャノピ用照明ランプ及び天井用照明ランプと、前記中間棚の裏面に設置され、その中間棚の下段に位置する中間棚を照明するための中間棚用照明ランプとを有する冷蔵冷凍ショーケースであって、前記請求項１〜５のいずれかに記載の放電灯点灯装置を備え、前記第１のインバータ回路は、前記キャノピ用照明ランプ及び前記天井用照明ランプを点灯し、前記第２のインバータ回路は、前記中間棚用照明ランプを点灯するので、浮遊容量やノイズの影響を低減した安定点灯が可能になる。
【発明を実施するための最良の形態】
【００１２】
以下、本発明の実施の形態を図面に基づいて説明する。
図１は、本発明に係わる放電灯点灯装置１００の回路構成を示す回路図である。この放電灯点灯装置１００は、簡易な回路構成で、高周波電力に起因する浮遊容量やノイズの影響を低減し、無駄な消費電力を抑制することを可能にしたものである。なお、ここでは、この放電灯点灯装置１００が冷蔵冷凍ショーケースに備えられている場合を例に説明する。
【００１３】
放電灯点灯装置１００は、キャノピ用照明ランプ６と、天井用照明ランプ７と、中間棚用照明ランプ８〜１１と、キャノピ用照明ランプ６及び天井用照明ランプ７を点灯するための点灯装置１２と、中間棚用照明ランプ８〜１１を点灯するための中間棚用点灯装置１３〜１６とで構成されている。点灯装置１２は、電源回路２４と、第１のインバータ回路であるキャノピ用インバータ回路２６及び天井用インバータ回路２７とで構成されている。電源回路２４は、商用電源２５に接続されており、この商用電源２５から供給される交流電力を整流平滑して直流電力に変換するものである。この直流電力は、直流電力配線１９を伝送して各インバータ回路に供給されるようになっている。
【００１４】
キャノピ用インバータ回路２６は、高周波電力配線１７でキャノピ用照明ランプ６と接続しており、電源回路２４から供給される直流電力を高周波電力に変換してキャノピ用照明ランプ６を点灯するようになっている。天井用インバータ回路２７は、高周波電力配線１８で天井用照明ランプ７と接続しており、電源回路２４から供給される直流電力を高周波電力に変換して天井用照明ランプ７を点灯するようになっている。なお、点灯装置１２は、キャノピ用インバータ回路２６がキャノピ用照明ランプ６の近傍（たとえば、天井の上部等）に配置されることが望ましい（図５参照）。
【００１５】
キャノピとは、冷蔵冷凍ショーケース等の天井壁前端部から前下方に張り出した化粧枠のことである。つまり、キャノピ用照明ランプ６は、冷蔵冷凍ショーケースの前面及び全体（特に、最上段に位置する中間棚）を照明するものである。また、天井用照明ランプ７は、最上段に位置する中間棚を照明するものである。なお、キャノピ用照明ランプ６及び天井用照明ランプ７は、第１のインバータ回路で点灯される蛍光灯等の放電灯である。
【００１６】
中間棚用点灯装置１３は、高周波電力配線２０で中間棚用照明ランプ８と接続しており、電源回路２４から供給される直流電力を高周波電力に変換して中間棚用照明ランプ８を点灯するようになっている。すなわち、電源回路２４から供給される直流電力を高周波電力に変換することなく中間棚用点灯装置１３に供給し、中間棚用照明ランプ８を点灯する直前で高周波電力に変換するようになっている。したがって、高周波電力に起因する浮遊容量やノイズの影響を大きく低減することができる。
【００１７】
中間棚用照明ランプ８は、中間棚の裏面に配置されており、配置されている中間棚の下方にある中間棚を照明するためのものである。なお、中間棚用照明ランプ８は、第２のインバータ回路で点灯される蛍光灯等の放電灯である。また、浮遊容量やノイズの影響を更に低減するためには、中間棚用点灯装置１３が中間棚用照明ランプ８の近傍に配置されることが望ましい。そうすれば、高周波電力が伝送される距離を短くすることができ、高周波電力に起因する浮遊容量やノイズの影響を更に低減することが可能になるからである。換言すれば、高周波電力配線２０の配線長を短くすることができるということである。
【００１８】
なお、中間棚用点灯装置１４〜１６も中間棚用点灯装置１３と同様の機能を果たすようになっている。これらの中間棚用点灯装置は、直流電力配線１９を介して電源回路２４と接続されている。この直流電力配線１９は、渡り配線となっている（図２参照）。また、中間棚用照明ランプ９〜１１も中間棚用照明ランプ８と同様な機能を果たすようになっている。
【００１９】
図２は、放電灯点灯装置１００の詳細な回路構成を示す回路図である。中間棚用点灯装置１３〜１６には、第２のインバータ回路である中間棚用インバータ回路１３ａ〜１６ａが内蔵されている。これらの中間棚用インバータ回路に電源回路２４からの直流電力が直流電力配線１９を介して供給されるようになっている。この直流電力配線１９は、渡り配線となっており、電源回路２４からの直流電力は、中間棚用点灯装置１３、中間棚用点灯装置１４、中間棚用点灯装置１５、中間棚用点灯装置１６の順で伝送するようになっている。
【００２０】
なお、この直流電力配線１９は、電源回路２４と中間棚用点灯装置１３とを接続する直流電力配線１９ａと、中間棚用点灯装置１３と中間棚用点灯装置１４とを接続する直流電力配線１９ｂと、中間棚用点灯装置１４と中間棚用点灯装置１５とを接続する直流電力配線１９ｃと、中間棚用点灯装置１５と中間棚用点灯装置１６とを接続する直流電力配線１９ｄとに分けられている。
【００２１】
また、各中間棚用点灯装置は、コネクタ３０〜３７で電源回路２４から着脱可能になっている。各中間棚用点灯装置は、２つのコネクタ（入力コネクタと出力コネクタ）を備えている。中間棚用点灯装置１３の入力コネクタ３０は、電源側コネクタ３０ａとインバータ回路側コネクタ３０ｂとで構成されており、出力コネクタ３１も同様に電源側コネクタ３１ａとインバータ回路側コネクタ３１ｂとで構成されている。同様に、中間棚用点灯装置１４〜１６の入力コネクタ３２、３４、３６は、電源側コネクタ３２ａ、３４ａ、３６ａとインバータ回路側コネクタ３２ｂ、３４ｂ、３６ｂとで構成されており、出力コネクタ３３、３５、３７も同様に電源側コネクタ３３ａ、３５ａ、３７ａとインバータ回路側コネクタ３３ｂ、３５ｂ、３７ｂで構成されている。
【００２２】
また、キャノピ用照明ランプ６は、コネクタ４０で電源回路２４から着脱可能になっている。コネクタ４０は、インバータ回路側コネクタ４０ａとランプ側コネクタ４０ｂとで構成されている。これにより、キャノピ用インバータ回路２６とキャノピ用照明ランプ６とを接続する高周波電力配線１７は、高周波電力配線１７ａとキャノピ用配線１７ｂとに分けられている。
【００２３】
さらに、天井用照明ランプ７も、コネクタ４１で電源回路２４から着脱可能になっている。コネクタ４１は、インバータ回路側コネクタ４１ａとランプ側コネクタ４１ｂとで構成されている。これにより、天井用インバータ回路２７と天井用照明ランプ７とを接続する高周波電力配線１８は、高周波電力配線１８ａと天井用配線１８ｂとに分けられている。このコネクタ４０及びコネクタ４１を設けることによって、メンテナンスにおける手間は省略することが可能になっている。
【００２４】
同様に、中間棚用照明ランプ８〜１１も、コネクタ４２〜４５で中間棚用点灯装置１３〜１６から着脱可能になっている。コネクタ４２〜４５は、インバータ回路側コネクタ４２ａ〜４５ａとランプ側コネクタ４２ｂ〜４５ｂとで構成されている。中間棚用照明ランプ８〜１１は、高周波電力配線２０〜２３で中間棚用インバータ回路１３ａ〜１６ａと接続している。すなわち、電源回路２４から供給される直流電力は、直流電力配線１９を介して各中間棚用インバータ回路に伝送され、各中間棚用照明ランプの点灯直前で高周波電力に変更されるようになっている。したがって、高周波電力が伝送される距離を短くでき、浮遊容量やノイズを大きく低減することが可能になる。
【００２５】
これらのようなコネクタを設けることによって、キャノピ用照明ランプ６、天井用照明ランプ７及び中間棚用点灯装置１３〜１６を電源回路２４から、中間棚用照明ランプ８〜１１を中間棚用点灯装置１３〜１６から容易に着脱できるので、さらにメンテナンスにおける手間を省略できる。なお、直流電力配線１９は、渡り配線となっているために、いずれかの中間棚用点灯装置が外されていると、直流電力が供給されることはない。
【００２６】
図３は、点灯装置１２内の回路構成を示す回路構成図である。図１で示したように、点灯装置１２は、電源回路２４と、キャノピ用インバータ回路２６と、天井用インバータ回路２７とで構成されている。この電源回路２４内には、商用電源２５から供給される交流電力を整流・平滑して直流電力に変換する整流回路２４ａと、整流回路２４ａからの供給される直流電力を所定の電圧に昇圧する昇圧回路２４ｂとが内蔵されている。
【００２７】
昇圧回路２４ｂには、第２のスイッチングである素子昇圧切り替えスイッチ５０が設けられている。この昇圧切り替えスイッチ５０は、直流電力の昇圧値を段階的に切り替えるものである。つまり、昇圧切り替えスイッチ５０が操作されることで、設定してある昇圧値を切り替えるようになっているのである。この切り替え可能な昇圧値は、少なくとも２段階の段階的な昇圧値として設定しておくとよい。また、この昇圧値は、あらかじめ設定してあってもよく、後に設定してもよい。さらに、この設定値は、追加や変更、削除等を可能にしておくとよい。なお、ここでは、昇圧切り替えスイッチ５０が昇圧回路２４ｂの外側に設けられている場合を例に示しているが、これに限定するものではなく、昇圧回路２４ｂ内に設けられていてもよい。
【００２８】
昇圧切り替えスイッチ５０は、昇圧切り替え信号５１によってオン・オフされるようになっている。この昇圧切り替え信号５１は、図示省略の集中制御盤や遠隔制御装置（リモコン）等の外部装置から発信される外部信号である。また、この昇圧切り替え信号５１は、電力配線を介して伝送されてもよく、また赤外線センサ等を介して無線で伝送されてもよい。なお、昇圧切り替えスイッチ５０は、スイッチング素子としての機能を有するものであればよく、特に限定するものではない。
【００２９】
すなわち、昇圧切り替えスイッチ５０をオン・オフすることで、各インバータ回路（キャノピ用インバータ回路２６や天井用インバータ回路２７、中間棚用インバータ回路１３ａ等）に供給される直流電力の電圧の昇圧値が変更可能であり、全ランプ（キャノピ用照明ランプ６や天井用照明ランプ７、中間棚用照明ランプ８等）を一括調光できるようにしているのである。こうすることで、開店前の商品陳列時や深夜営業時等の明るさの要求程度が低い時間帯においてであっても、無駄な消費電力を抑制することが可能になっている。
【００３０】
また、昇圧回路２４ｂと中間棚用点灯装置１３とを接続する直流電力配線１９には、第１のスイッチング素子である中間棚用スイッチ５２が設けられている。この中間棚用スイッチ５２は、各中間棚用点灯装置に供給される直流電力をオン・オフするものである。ここでは、この中間棚用スイッチ５２が点灯装置１２内に設けられている場合を例に示しているが、これに限定するものではなく、点灯装置１２の外部に設けられていてもよい。
【００３１】
中間棚用スイッチ５２は、中間棚用照明オン・オフ信号５３によってオン・オフされるようになっている。この中間棚用照明オン・オフ信号５３も、昇圧切り替え信号５１と同様に図示省略の集中制御盤や遠隔制御装置（リモコン）等の外部装置から発信される外部信号である。また、この中間棚用照明オン・オフ信号５３は、電力配線を介して伝送されてもよく、また赤外線センサ等を介して無線で伝送されてもよい。なお、中間棚用スイッチ５２は、スイッチング素子としての機能を有するものであればよく、特に限定するものではない。
【００３２】
図４は、ランプ電力と昇圧電圧との関係を示す説明図である。図において、縦軸がランプ電力を、横軸が昇圧電圧（インバータ入力電圧）をそれぞれ示している。ここでは、昇圧回路２４ｂの段階的な昇圧値を２段階（Ｖ１及びＶ２）に設定している場合を例に示している。昇圧電力がＶ２であるとき、各ランプの電力はＷ２であることを、昇圧電圧がＶ１であるとき、各ランプの電力はＷ１であることを示している。
【００３３】
すなわち、各ランプを調光することで、各ランプでの消費電力を低減し、省電力を実現しているのである。したがって、開店前の商品陳列時や深夜営業時等の明るさの要求程度が低い時間帯であれば、昇圧切り替え信号５１で昇圧回路２４ｂの昇圧値を低い段階に変更して、無駄な電力消費を抑制することができるのである。また、昇圧回路２４ｂの段階的な昇圧値を細かく設定しておけば、詳細な電力調整が可能になる。  
【００３４】
図５は、本発明に係わる冷蔵冷凍ショーケース２００の断面構成を示す断面図である。冷凍冷蔵ショーケース２００の本体１は、前面が開放された中間棚４段式の多段オープン型である。冷凍冷蔵ショーケース本体１の庫内には、生鮮食品や飲料等の商品を載置・陳列するための中間棚２〜５が設けられている。なお、この冷蔵冷凍ショーケース２００には、上述した放電灯点灯装置１００が備えられている。
【００３５】
各中間棚の裏面側には、中間棚用照明ランプ８〜１１が設けられている。これらの各中間棚用照明ランプは、それぞれ設けられている中間棚の下段に位置する中間棚を照明するようになっている（たとえば、中間棚用照明ランプ８であれば、中間棚３を照明するようになっている）。また、本体１の天井部には、最上段の中間棚２を照らすための天井用照明ランプ７が設けられている。さらに、本体１のキャノピ部には、キャノピ用照明ランプ６が備えられている。
【００３６】
冷凍冷蔵ショーケース２００は、空気を取り込むとともに、取り込んだ空気を図示省略の冷却器により冷却し、その冷却した空気を循環させることで、各中間棚に載置・陳列された商品を所定温度まで冷却するようになっている。また、各中間棚の前方上部に設けられた図示省略の排出口からは下方の取込口に向けて冷気が排出され、各中間棚の前面にエアーカーテンが作り出されるようになっている。そのため、庫内の冷気の散失や外部からの熱進入を防ぐことができ、庫内の温度が一定に保たれるようになっている。
【００３７】
各ランプは、各インバータ回路から供給される高周波電力によって点灯されるようになっている（図１参照）。これらのインバータ回路は、それぞれが点灯するランプの近傍に配置されるようになっている。この高周波電力は、浮遊容量やノイズの発生要因となり、各ランプの安定点灯を阻害する要因となるものである。そこで、直流電力を高周波電力に変更する各インバータ回路を各ランプの近傍に配置し、ランプを点灯する直前で高周波電力に変更することで浮遊容量やノイズの影響を低減するようにしている。
【００３８】
図６は、各中間棚の正面を示す正面図である。図に示すように、中間棚用照明ランプ８として使用する蛍光灯等の放電灯の直径は、一般的に約３５ｍｍ〜４０ｍｍである（図で示すＡ）。そのために、中間棚用インバータ回路１３ａを内蔵した中間棚用点灯装置１３の厚さ（図に示すＢ）が、中間棚用照明ランプ８の直径よりも長いと、冷蔵冷凍ショーケース２００の外部から中間棚用点灯装置１３が見えてしまい美観を損ねることになる。
【００３９】
そこで、中間棚用照明ランプ８の近傍に配置する中間棚用点灯装置１３の厚さを、中間棚用照明ランプ８の直径よりも短くして、中間棚用点灯装置１３が中間棚用照明ランプ８に隠れるようにしている。すなわち、中間棚用点灯装置１３の厚さを３０ｍｍ以下にして、冷蔵冷凍ショーケース２００の外部から中間棚用点灯装置１３が見えないようにしているのである。こうすれば、中間棚用点灯装置１３が中間棚用照明ランプ８の裏側に隠れるために美観を損ねることがない。なお、ここでは、中間棚用点灯装置１３に基づいて説明したが、中間棚用点灯装置１４〜１６も同様な構成となっている。
【図面の簡単な説明】
【００４０】
【図１】本発明に係わる放電灯点灯装置の回路構成を示す回路図である。
【図２】放電灯点灯装置の詳細な回路構成を示す回路図である。
【図３】点灯装置内の回路構成を示す回路構成図である。
【図４】ランプ電力と昇圧電圧との関係を示す説明図である。
【図５】本発明に係わる冷蔵冷凍ショーケースの断面構成を示す断面図である。
【図６】各中間棚用点灯装置の厚さを示す断面図である。
【符号の説明】
【００４１】
１  本体、２〜５  中間棚、６  キャノピ用照明ランプ、７  天井用照明ランプ、８〜１１  中間棚用照明ランプ、１２  点灯装置、１３  中間棚用点灯装置、１３ａ  中間棚用インバータ回路、１４  中間棚用点灯装置、１４ａ  中間棚用インバータ回路、１５  中間棚用点灯装置、１５ａ  中間棚用インバータ回路、１６  中間棚用点灯装置、１６ａ  中間棚用インバータ回路、１７  高周波電力配線、１７ａ  高周波電力配線、１７ｂ  キャノピ用配線、１８  高周波電力配線、１８ａ  高周波電力配線、１８ｂ  天井用配線、１９  直流電力配線、１９ａ〜１９ｄ  直流電力配線、２０〜２３  高周波電力配線、２４  電源回路、２４ａ  整流回路、２４ｂ  昇圧回路、３０〜３７  コネクタ、４０〜４５  コネクタ、５０  昇圧切り替えスイッチ、５１  昇圧切り替え信号、５２  中間棚用スイッチ、５３  中間棚用照明オン・オフ信号、１００  放電灯点灯装置、２００  冷蔵冷凍ショーケース。
【図１】
0004632878.tif 000002
【図２】
0004632878.tif 000003
【図３】
0004632878.tif 000004
【図４】
0004632878.tif 000005
【図５】
0004632878.tif 000006
【図６】
0004632878.tif 000007